(57)【要約】【課題】  ベッドメイキングの際に、ベッド内外への蒲団の出し入れを容易に行うことができ、更に二段ベッドの上段においても比較的楽に蒲団の出し入れ、若しくは上げ下ろしを行うことができ、しかも安全性にも配慮した柵付きベッドを提供する。【解決手段】  それぞれ一対の支持脚５を有するヘッド枠体１とフット枠体２との両端部間に、側柵６を備えた側枠体３を着脱可能に連結してなる柵付きベッドであって、側枠体の側柵を固定柵８と可動柵９とで形成し、可動柵を固定柵に対して開閉可能とした。更に、側柵６の中央部若しくは一側寄り位置を正面視四角形状に切り欠いて上方へ開放した開口部１０を形成し、開口部を形成した残余を固定柵８，８とするとともに、開口部に開閉可能に可動柵９を設けた。【選択図】        図１
2005185687.tif 000002
【特許請求の範囲】
【請求項１】
それぞれ一対の支持脚を有するヘッド枠体とフット枠体との両端部間に、側柵を備えた側枠体を着脱可能に連結してなる柵付きベッドであって、前記側枠体の側柵を固定柵と可動柵とで形成し、該可動柵を固定柵に対して開閉可能としたことを特徴とする柵付きベッド。
【請求項２】
前記側柵の中央部若しくは一側寄り位置を正面視四角形状に切り欠いて上方へ開放した開口部を形成し、該開口部を形成した残余を前記固定柵とするとともに、該開口部に開閉可能に前記可動柵を設けてなる請求項１記載の柵付きベッド。
【請求項３】
前記側枠体の開口部の底部に前記可動柵の下端を、水平回動軸を備えた回動具にて取付けるとともに、該可動柵の上部と前記固定柵の上部とに係脱可能な係着手段を設けてなる請求項１又は２記載の柵付きベッド。
【請求項４】
前記可動柵を有する側枠体を、二段ベッドの上段に設けてなる請求項１〜３何れかに記載の柵付きベッド。
【発明の詳細な説明】
【技術分野】
【０００１】
本発明は、柵付きベッドに係わり、更に詳しくは二段ベッドなどの柵付きベッドに関するものである。
【背景技術】
【０００２】
従来から、それぞれ一対の支持脚を有するヘッド枠体とフット枠体との両端部間に、側柵を備えた側枠体を着脱可能に連結してなる柵付きベッドは各種提供されている。例えば、本出願人の先願に係る特許文献１にも開示されている。
【０００３】
ところで、このような二段ベッドにおいて、蒲団を夏用や冬用のものと交換したり、蒲団を他の場所で干すために移動し、また干した後に蒲団を敷く場合等のベッドメイキングの際に、前記側柵を乗り越えて蒲団を出し入れ、若しくは上げ下ろしすることになるが、この作業は非常に労力を要するものである。特に、上段のベッドにおいては、多大な労力を要し、更に背の低い女性が作業する場合には尚更である。
【０００４】
尚、二段ベッドの上段には、備え付けの梯子を利用して上がり下りするが、蒲団を持ったままこの梯子を利用することは困難であり、また危険でもある。
【特許文献１】特開２００１−２５８６８４号公報
【発明の開示】
【発明が解決しようとする課題】
【０００５】
そこで、本発明が前述の状況に鑑み、解決しようとするところは、ベッドメイキングの際に、ベッド内外への蒲団の出し入れを容易に行うことができ、更に二段ベッドの上段においても比較的楽に蒲団の出し入れ、若しくは上げ下ろしを行うことができ、しかも安全性にも配慮した柵付きベッドを提供する点にある。
【課題を解決するための手段】
【０００６】
本発明は、前述の課題解決のために、それぞれ一対の支持脚を有するヘッド枠体とフット枠体との両端部間に、側柵を備えた側枠体を着脱可能に連結してなる柵付きベッドであって、前記側枠体の側柵を固定柵と可動柵とで形成し、該可動柵を固定柵に対して開閉可能とした柵付きベッドを構成した。
【０００７】
更に具体的には、前記側柵の中央部若しくは一側寄り位置を正面視四角形状に切り欠いて上方へ開放した開口部を形成し、該開口部を形成した残余を前記固定柵とするとともに、該開口部に開閉可能に前記可動柵を設けてなるのである。
【０００８】
ここで、前記側枠体の開口部の底部に前記可動柵の下端を、水平回動軸を備えた回動具にて取付けるとともに、該可動柵の上部と前記固定柵の上部とに係脱可能な係着手段を設けてなることが好ましい。
【０００９】
そして、前記可動柵を有する側枠体を、二段ベッドの上段に設けてなると更に好ましい。
【発明の効果】
【００１０】
以上にしてなる請求項１に係る発明の柵付きベッドは、ベッドメイキングの際に、可動柵を開放してベッド内外への蒲団の出し入れ、若しくは上げ下ろしを容易に行うことができる。
【００１１】
請求項２によれば、可動柵を開き、上方へ開放した開口部を通して蒲団の出し入れ、若しくは上げ下ろしを行うことができ、しかも側柵の中央部以外は固定柵となっているので、ヘッド枠体とフット枠体への側枠体の取付強度が高く、その上安全性も高い。
【００１２】
請求項３によれば、可動柵を下方へ回動させて開き、開口部を全開することができるので、この開口部を通して蒲団の出し入れ、若しくは上げ下ろしを容易に行うことができ、また可動柵を閉じた状態で係着手段によって該可動柵を固定柵に連結できるので、安全性が高くなる。
【００１３】
請求項４によれば、二段ベッドの上段においても比較的楽に蒲団の出し入れ、若しくは上げ下ろしを行うことができる。
【発明を実施するための最良の形態】
【００１４】
次に本発明の実施の形態を添付図面に基づき更に詳細に説明する。図１〜図４は本発明に係る柵付きベッドの第１実施形態を示し、図中符号Ａは下段ベッド、Ｂは上段ベッド、１はヘッド枠体、２はフット枠体、３は側枠体、４は床部材をそれぞれ示している。本実施形態に係る柵付きベッドは、木製の二段ベッド構造となっているが、本発明はベッドの段数や側枠体３以外の構造には限定されない。
【００１５】
本実施形態に係る柵付きベッドは、図１及び図２に示すように、下段ベッドＡと上段ベッドＢとからなり、下段ベッドＡと上段ベッドＢは略同一の構造であり、下段ベッドの上に上段ベッドＢが積層されている。ここでは、本発明と直接関連のある上段ベッドＢのみを説明し、下段ベッドＡは上段ベッドＢと同一構成に同一符号を付してその説明は省略する。
【００１６】
前記上段ベッドＢは、それぞれ一対の支持脚５，５を有するヘッド枠体１とフット枠体２との両端部間に、側柵６を備えた側枠体３，３を着脱可能に連結し、前記ヘッド枠体１、フット枠体２及び両側枠体３，３で囲まれた底部に床部材４を載支した構造である。ここで、上段ベッドＢの各支持脚５，…の下端は、下段ベッドＡの対応する支持脚５，…の上端に凹凸嵌合した状態で連結される。
【００１７】
そして、一方の前記側枠体３は、図３及び図４に示すように、横桟７の上部に前記側柵６が連結された構造を有するとともに、該側柵６を固定柵８と可動柵９とで形成し、該可動柵９を固定柵８に対して開閉可能としている。更に詳しくは、前記側柵６の中央部若しくは一側寄り位置を正面視四角形状に切り欠いて上方へ開放した開口部１０を形成し、該開口部１０を形成した残余を前記固定柵８，８とするとともに、該開口部１０に開閉可能に前記可動柵９を設けている。尚、他方の側枠体３は通常の構造であるので、その説明は省略する。
【００１８】
更に各部について詳説すれば、前記横桟７は、上下幅の広い角材で形成し、上下方向の曲げ強度の高い構造となっている。前記側柵６は、前記横桟７の上面に沿って配置し、該横桟７に連結される連結杆１１を有し、該連結杆１１の両側部に前記固定柵８，８が上設され、両固定柵８，８の間の開口部１０には前記可動柵９が開閉可能に取付けられている。前記可動柵９は、下端を前記側枠体３の開口部１０の底部に水平回動軸を備えた回動具１２，…にて取付けるとともに、該可動柵９の上部と前記固定柵８，８の上部とに係脱可能な係着手段１３，１３を設けている。
【００１９】
前記固定柵８は、上杆１４と下杆１５とを二本の縦杆１６，１６で連結し、更に両縦杆１６，１６間に補強横桟１７を渡設した構造となっており、一方の縦杆１６は前記開口部１０側の端部に位置し、前記上杆１４は両縦杆１６，１６の上端に渡設された状態で一体化されている。そして、前記下杆１５を前記連結杆１１の上面に接合状態で固定している。前記可動柵９は、上杆１８と下杆１９の両端部間を縦杆２０，２０で連結するとともに、
上杆１８と下杆１９の中間部に若干間隔を設けて二本の補強縦杆２１，２１を連結し、更に前記縦杆２０と補強縦杆２１の間に補強横桟２２をそれぞれ渡設した構造である。
【００２０】
そして、前記可動柵９の下杆１９を前記連結杆１１に前記回動具１２としての蝶番で上下回動可能に連結している。また、前記固定柵８の上杆１４と、前記可動柵９の上杆１８の端部同士を前記係着手段１３で係脱可能となしている。この係着手段１３としては、前記可動柵９の上杆１８の外面に取付けたスライド杆２３を備えた係合具２４と、前記固定柵８の上杆１４の外面に取付けた前記スライド杆２３の先端を受入れる受具２５とからなる所謂カンヌキ構造のものを用いた。尚、前記係合具２４を固定柵８に、前記受具２５を可動柵９に設けてもよい。
【００２１】
また、前記可動柵９を閉じて前記係着手段１３が係合した状態で、前記固定柵８の開口部１０側の縦杆１６と、前記可動柵９の縦杆２０とが接合するように、縦杆１６及び上杆１４の端部と、縦杆２０及び上杆１８の端部にそれぞれ接合段部２６，２７を形成している。更に、前記接合段部２６，２７の一方又は双方にフェルト等の衝突緩衝用のクッション材を添設することが好ましい。
【００２２】
そして、前記側枠体３を前記ヘッド枠体１とフット枠体２の支持脚５，５に着脱可能に連結する構造は、公知のものを用いている。即ち、図３に示すように、前記側枠体３の横桟７の端部に金属製のフック部材２８を突設し、前記支持脚５に形成した上下方向のスリット溝２９内に横設した係止ピン３０，３０に前記フック部材２８を落とし込み係止するとともに、前記固定柵８の上杆１４の端部をアングル金具３１で前記支持脚５にネジにて連結する構造である。更に、前記側枠体３の横桟７の内面側に沿って受板３２を固定して前記段部を形成し、該段部に前記床部材４を載支するとともに、図示しないが前記ヘッド枠体１とフット枠体２の内面中央部にブロック状の受片をそれぞれ固定して同じく段部を形成し、前記床部材４を載支している。図中符号３３は、上段ベッドＢへ上がるための梯子であり、前記固定柵８に上端部が係止される。
【００２３】
尚、前記固定柵８の横幅は、少なくとも梯子３３を係止できるような寸法を確保できれば良く、左右の固定柵８，８は同一形状である必要はない。つまり、前記開口部１０は中央から一側寄り位置に形成しても良い。また、前記梯子３３の上端部を固定柵８に着脱可能に連結するとともに、該梯子３３の下端にゴム等の床面に対する滑り止め部材を取付けることにより、該梯子３３を介して固定柵８を補強し、該固定柵８の前後変移を抑制することが期待できる。更に、前記梯子３３は、可動柵９の位置に設けることも可能であり、前述のように梯子３３を介して開口部１０を閉じた状態の可動柵９を補強することが可能である。
【００２４】
前記側枠体３は、複数の木製の杆状部材で組合わせて構成した例を示したが、本発明は前述の構造に限定されるものではなく、単純な板部材に開口を形成したような構造でも良い。また、前記下段ベッドＡは、通常構造のものであるが、側枠体３として前述の固定柵８，８と可動柵９とを有する構造のものを用いても良い。
【００２５】
また、図５は、前記係着手段１３の他の例であり、該係着手段１３は、前記可動柵９の縦杆２０の上部に横方向に貫通する通孔３４を形成し、該通孔３４に挿通した蝶ボルト３５の先端部を前記固定柵８の縦杆１６の上部端面に埋設したオニメナット３６に螺合する構造のものである。尚、前記通孔３４を固定柵８の縦杆１６の上部に形成し、前記オニメナット３６を可動柵９の縦杆２０の上部端面に埋設してもよい。
【００２６】
そして、図６は、前記係着手段１３の更に他の例であり、該係着手段１３は、基本的には図３及び図４に示したものと同じであるが、前記同様の係合具２４を前記可動柵９の上杆１８の内部に埋設して該上杆１８の端面からスライド杆２３が出没するようにし、前記同様の受具２５を前記固定柵８の上杆１４に埋設するか、若しくは単純に前記スライド杆２３を受入れる穴を前記上杆１４の端面に形成した構造のものである。この場合も、前記係合具２４を固定柵８に、前記受具２５を可動柵９に設けてもよい。
【００２７】
前記係着手段１３は、前述の例に限らず、公知の各種構造のものを採用することができる。また、前記回動具１２も蝶番以外に、ヒンジ等の公知の構造のものを採用することができる。更に、前記回動具１２を用いずに、前記可動柵９を横方向にスライド開閉するレール支持構造を採用することもでき、更に可動柵９を上方へ抜き取るような構造を採用することもできる。何れの場合にも、前記可動柵９を移動させて前記開口部１０を開放し、この開口部１０を通して蒲団等の出し入れ、若しくは上げ下ろしを行うことができるようにする。
【００２８】
また、図７及び図８は、本発明に係る柵付きベッドの第２実施形態を示している。本実施形態は、ベッド部３７は上段にのみ設け、その下方は側方へ開放した空間部３８とし、該空間部３８内に机３９や書棚４０を配置した構造のものである。そして、前記ベッド部３７は、前記同様にそれぞれ一対の支持脚５，５を有するヘッド枠体１とフット枠体２との両端部間に、側柵６を備えた側枠体３，３を着脱可能に連結し、前記ヘッド枠体１、フット枠体２及び両側枠体３，３で囲まれた底部に床部材４を載支した構造である。そして、前記空間部３８の側方開放側の前記側枠体３に、固定柵８，８とその中間部に開閉可能な可動柵９を設けた構造としている。本実施形態の可動柵９を有する側枠体３として、前述の実施形態のものと全く同様なものを採用している。その他の構成は、第１実施形態と同様であるので、同一構成には同一符号を付してその説明は省略する。
【００２９】
本発明では、第１実施形態のような二段ベッドの上段、又は第２実施形態のようなベッド部の下方の空間を学習作業空間として利用するようにした複合ベッドのベッド部に、前記可動柵９を有する側枠体３を設ければ、その作用効果は顕著になるが、下段ベッドや通常の高さの低いベッドの側枠体３に前述の可動柵９を設けた場合でも、蒲団の出し入れの際の労力の低減化に多少なりとも効果があるとともに、この可動柵９を開放した開口部１０を通して利用者がベッドに乗り降りすることができる新たな効果も生じるのである。この場合、お年寄りや、身体障害者にとって非常に便利となり、ベッドに寝ているときには可動柵９を閉じておけば、不意に落下することがないのである。
【図面の簡単な説明】
【００３０】
【図１】本発明に係る柵付きベッドの代表的実施形態を示す二段ベッドの斜視図である。
【図２】同じく側面図である。
【図３】同じく要部の拡大部分断面図である。
【図４】可動柵を開放した状態の部分斜視図である。
【図５】可動柵の他の係着手段を示す部分斜視図である。
【図６】可動柵の更に他の係着手段を示す部分斜視図である。
【図７】本発明に係る柵付きベッドの他の実施形態を示す複合ベッドの斜視図である。
【図８】同じく側面図である。
【符号の説明】
【００３１】
Ａ  下段ベッド      Ｂ  上段ベッド
１  ヘッド枠体      ２  フット枠体
３  側枠体          ４  床部材
５  支持脚          ６  側柵
７  横桟            ８  固定柵
９  可動柵          １０  開口部
１１  連結杆        １２  回動具
１３  係着手段      １４  上杆
１５  下杆          １６  縦杆
１７  補強横桟      １８  上杆
１９  下杆          ２０  縦杆
２１  補強縦杆      ２２  補強横桟
２３  スライド杆    ２４  係合具
２５  受具          ２６  接合段部
２８  フック部材    ２９  スリット溝
３０  係止ピン      ３１  アングル金具
３２  受板          ３３  梯子
３４  通孔          ３５  蝶ボルト
３６  オニメナット  ３７  ベッド部
３８  空間部        ３９  机
４０  書棚
【図１】
2005185687.tif 000003
【図２】
2005185687.tif 000004
【図３】
2005185687.tif 000005
【図４】
2005185687.tif 000006
【図５】
2005185687.tif 000007
【図６】
2005185687.tif 000008
【図７】
2005185687.tif 000009
【図８】
2005185687.tif 000010